(57)【要約】【課題】施工の手間を軽減させることを可能にする基礎構造、フーチング部材、及び基礎構造の施工方法を提供すること。【解決手段】  建築物を支持する基礎構造であって、建築物が建築される地盤に埋めて用いられるプレキャスト製のフーチング部材１、を備え、フーチング部材１は、建築物を支持する杭体が挿通されるフーチング側貫通孔１２であって、当該杭体と当該フーチング部材１との相対位置を調整するためのフーチング側貫通孔１２、を備え、フーチング側貫通孔１２の内部におけるフーチング部材１と杭体との間の間隙には、充填剤が充填され、フーチング側貫通孔１２は、フーチング部材１における中央寄りの位置に１個設けられており、フーチング部材１における上面の全領域はコンクリートの打設領域となっており、杭体の杭頭には接合体が接合されており、フーチング部材１の側面からは鉄筋が突出していない。【選択図】図２
2020084529.tif 000002
【特許請求の範囲】
【請求項１】
建築物を支持する基礎構造であって、
前記建築物が建築される地盤に埋めて用いられるプレキャスト製のフーチング部材、を備え、
前記フーチング部材は、前記建築物を支持する杭体が挿通される貫通孔であって、当該杭体と当該フーチング部材との相対位置を調整するための前記貫通孔、を備える、
基礎構造。
【請求項２】
前記貫通孔の内部における前記フーチング部材と前記杭体との間の間隙には、充填剤が充填される、
請求項１に記載の基礎構造。
【請求項３】
前記貫通孔は、前記フーチング部材における中央寄りの位置に１個設けられている、
請求項１又は２に記載の基礎構造。
【請求項４】
前記フーチング部材における上面の全領域はコンクリートの打設領域となっている、
請求項１から３の何れか一項に記載の基礎構造。
【請求項５】
前記杭体の杭頭には接合体が接合される、
請求項１から４の何れか一項に記載の基礎構造。
【請求項６】
前記フーチング部材の側面からは鉄筋が突出していない、
請求項１から５の何れか一項に記載の基礎構造。
【請求項７】
建築物が建築される地盤に埋めて用いられるプレキャスト製のフーチング部材であって、
前記フーチング部材は、前記建築物を支持する杭体が挿通される貫通孔であって、当該杭体と当該フーチング部材との相対位置を調整するための前記貫通孔、を備える、
フーチング部材。
【請求項８】
建築物を支持する基礎構造の施工方法であって、
前記建築物が建築される地盤に設けられている杭体にプレキャスト製のフーチング部材であって、貫通孔を備える前記フーチング部材を位置決めする工程と、
前記フーチング部材を埋める工程と、を含んでおり、
前記フーチング部材を位置決めする工程は、
前記貫通孔に前記杭体を挿通した状態で前記杭体と前記フーチング部材との相対位置を調整する工程、を含む、
基礎構造の施工方法。
【発明の詳細な説明】
【技術分野】
【０００１】
本発明は、基礎構造、フーチング部材、及び基礎構造の施工方法に関する。
【背景技術】
【０００２】
従来、軟弱な地盤に建築物を建てる場合、地盤に対して杭を打ち込み、当該杭にて建築物を支持していた（例えば、特許文献１参照）。
【先行技術文献】
【特許文献】
【０００３】
【特許文献１】特開２０１６−１８６１５４号公報
【発明の概要】
【発明が解決しようとする課題】
【０００４】
しかしながら、当該杭を用いて建築物を建てる場合、地盤に打ち込まれた杭を基準に建築物の躯体を建造する必要があったので、杭を打ち込む位置を極めて厳密に管理する必要があり、施工の手間が増加する可能性があった。
【０００５】
本発明は上記事実に鑑みなされたもので、施工の手間を軽減させることを可能にする基礎構造、フーチング部材、及び基礎構造の施工方法を提供する事を目的とする。
【課題を解決するための手段】
【０００６】
上述した課題を解決し、目的を達成するために、請求項１に記載の基礎構造は、建築物を支持する基礎構造であって、前記建築物が建築される地盤に埋めて用いられるプレキャスト製のフーチング部材、を備え、前記フーチング部材は、前記建築物を支持する杭体が挿通される貫通孔であって、当該杭体と当該フーチング部材との相対位置を調整するための前記貫通孔、を備える。
【０００７】
請求項２に記載の基礎構造は、請求項１に記載の基礎構造において、前記貫通孔の内部における前記フーチング部材と前記杭体との間の間隙には、充填剤が充填される。
【０００８】
請求項３に記載の基礎構造は、請求項１又は２に記載の基礎構造において、前記貫通孔は、前記フーチング部材における中央寄りの位置に１個設けられている。
【０００９】
請求項４に記載の基礎構造は、請求項１から３の何れか一項に記載の基礎構造において、前記フーチング部材における上面の全領域はコンクリートの打設領域となっている。
【００１０】
請求項５に記載の基礎構造は、請求項１から４の何れか一項に記載の基礎構造において、前記杭体の杭頭には接合体が接合される。
【００１１】
請求項６に記載の基礎構造は、請求項１から５の何れか一項に記載の基礎構造において、前記フーチング部材の側面からは鉄筋が突出していない。
【００１２】
請求項７に記載のフーチング部材は、建築物が建築される地盤に埋めて用いられるプレキャスト製のフーチング部材であって、前記フーチング部材は、前記建築物を支持する杭体が挿通される貫通孔であって、当該杭体と当該フーチング部材との相対位置を調整するための前記貫通孔、を備える。
【００１３】
請求項８に記載の基礎構造の施工方法は、建築物を支持する基礎構造の施工方法であって、前記建築物が建築される地盤に設けられている杭体にプレキャスト製のフーチング部材であって、貫通孔を備える前記フーチング部材を位置決めする工程と、前記フーチング部材を埋める工程と、を含んでおり、前記フーチング部材を位置決めする工程は、前記貫通孔に前記杭体を挿通した状態で前記杭体と前記フーチング部材との相対位置を調整する工程、を含む。
【発明の効果】
【００１４】
請求項１に記載の基礎構造、請求項７に記載のフーチング部材、及び請求項８に記載の基礎構造の施工方法によれば、地盤に埋めて用いられるプレキャスト製のフーチング部材が、杭体と当該フーチング部材との相対位置を調整するための貫通孔を備えることにより、例えば、杭体に加えてフーチング部材も建築物を建設する基準として用いることができ、また、例えば、フーチング部材の杭体に対する位置を調整することができるので、建築物を建設する基準の位置に冗長性を持たせることができ、杭体を打ち込む精度を緩和して、施工の手間を軽減することが可能となる。また、フーチング部材がプレキャスト製となっていることにより、例えば、現場でフーチング部材を生成することが不要となるので、工期を短縮することが可能となる。また、例えば、フーチング部材が地盤に埋められているので、建築物を強固に支持することが可能となる。
【００１５】
請求項２に記載の基礎構造によれば、貫通孔の内部におけるフーチング部材と杭体との間の間隙には、充填剤が充填されることにより、例えば、フーチング部材と杭体との間の間隙を埋めることができるので、フーチング部材と杭体とを相互に強固に固定することが可能となる。
【００１６】
請求項３に記載の基礎構造によれば、貫通孔が、フーチング部材における中央寄りの位置に１個設けられていることにより、例えば、貫通孔に対して杭体を容易に挿通するこができ、また、杭体が挿通された状態でフーチング部材を回動させることができるので、施工性を向上させることが可能となる。
【００１７】
請求項４に記載の基礎構造によれば、フーチング部材における上面の全領域がコンクリートの打設領域となっていることにより、例えば、フーチング部材における上面の全領域にコンクリートを打設することができるので、建築物を強固に支持することが可能となる。
【００１８】
請求項５に記載の基礎構造によれば、杭体の杭頭には接合体が接合されることにより、例えば、杭体と一体的に設けられた接合体を用いて建築物を支持することができるので、建築物を強固に支持することが可能となる。
【００１９】
請求項６に記載の基礎構造によれば、フーチング部材の側面からは鉄筋が突出していないことにより、例えば、フーチング部材同士を限られた領域に隣り合わせて置くことができるので、フーチング部材の保管（仮置き）スペースの省スペース化を図ることが可能となる。
【図面の簡単な説明】
【００２０】
【図１】本実施の形態に係るフーチング部材の平面図である。
【図２】フーチング部材の正面図である。
【図３】基礎構造の施工手法を説明するための図である。
【図４】基礎構造の施工手法を説明するための図である。
【図５】基礎構造の施工手法を説明するための図である。
【図６】基礎構造の施工手法を説明するための図である。
【図７】基礎構造の施工手法を説明するための図である。
【図８】基礎構造の施工手法を説明するための図である。
【図９】基礎構造の施工手法を説明するための図である。
【図１０】基礎構造の施工手法を説明するための図である。
【発明を実施するための形態】
【００２１】
以下に添付図面を参照して、この発明に係る基礎構造、フーチング部材、及び基礎構造の施工方法の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２２】
〔Ｉ〕実施の形態の基本的概念
まず、実施の形態の基本的概念について説明する。実施の形態は、概略的に、基礎構造、フーチング部材、及び基礎構造の施工方法に関する。
【００２３】
ここで、「基礎構造」とは、建築物を支え地盤に定着させる部分（基礎）であって、建築物を支持するものであり、具体的には、少なくとも、フーチング部材を備えるものであり、例えば、フーチング部材に加えて杭体等を含む任意の部材を備えるものである。「建築物」とは、建築される物体であり、例えば、いわゆるアリーナ、体育館、オフィスビル、及び家屋等を含む概念である。
【００２４】
「杭体」とは、建築物を支持する支持手段であり、具体的には、地盤の杭孔に少なくとも一部が埋められるものであり、例えば、杭頭に接合体が接合されるもの等を含む概念である。「接合体」とは、杭頭に接合されるものであり、例えば、杭頭補強筋、柱又は柱の構成要素（一例としては、柱主筋）、あるいは、梁又は梁の構成要素等を含む概念である。
【００２５】
「フーチング部材」とは、基礎構造に付与される荷重を分散させるための部材であり、具体的には、建築物が建築される地盤に埋めて用いられるプレキャスト製のものであり、また、貫通孔を備えるものである。このフーチング部材の具体的な構成は任意であり、例えば、当該フーチング部材における上面の全領域又は一部のみの領域がコンクリートの打設領域（つまり、コンクリートが打設される領域）となっているもの、又は、当該フーチング部材の側面から鉄筋（一例としては、差筋等）突出しているもの、又は、当該フーチング部材の側面から当該鉄筋が突出していない（側面に鉄筋が設けられていない）もの等に対応するものである。
【００２６】
「貫通孔」とは、フーチング部材に貫通して設けられている孔であり、具体的には、建築物を支持する杭体が挿通される孔であり、また、当該杭体と当該フーチング部材との相対位置を調整するため孔であり、例えば、杭体よりも大径となっている孔である。この貫通孔の具体的な構成は任意であり、例えば、１個のみの孔、又は、２個以上の孔、又は、フーチング部材における中央寄りの位置に設けられている孔、又は、フーチング部材における外周寄りの位置に設けられている孔等に対応する孔である。
【００２７】
また、この貫通孔に杭体が挿通された場合、貫通孔の内部におけるフーチング部材と杭体との間に間隙が形成されるが、この間隙には、充填剤が充填されることとしてもよいし、あるいは、充填剤が充填されないこととしてもよい。「充填剤」とは、貫通孔の内部におけるフーチング部材と杭体との間の間隙に充填されるものであり、例えば、コンクリート又はモルタル等を含む概念である。
【００２８】
「基礎構造の施工方法」とは、建築物を支持する基礎構造を施工する方法であり、具体的には、少なくとも、建築物が建築される地盤に設けられている杭体にプレキャスト製のフーチング部材であって、貫通孔を備えるフーチング部材を位置決めする工程と、フーチング部材を埋める工程とを含む方法である。なお、「フーチング部材を位置決めする工程」は、例えば、少なくとも、貫通孔に杭体を挿通した状態で杭体とフーチング部材との相対位置を調整する工程、を含む工程である。
【００２９】
そして、以下に示す実施の形態では、「フーチング部材」については、上面の全領域がコンクリートの打設領域となっており、また、側面から鉄筋が突出しておらず、また、「貫通孔」については、フーチング部材のおける中央寄りの位置に１個のみ設けられており、また、フーチング部材と杭体との間の間隙には「充填剤」としてコンクリートが充填される場合につい説明する。
【００３０】
〔ＩＩ〕実施の形態の具体的内容
次に、実施の形態の具体的内容について説明する。
【００３１】
（構成）
まず、本実施の形態に係るフーチング部材について説明する。図１は、本実施の形態に係るフーチング部材の平面図であり、図２は、フーチング部材の正面図である。なお、図１及び図２においては、フーチング側鉄筋１１は、多数（３本以上）突出している、これらのうちの２本に対して代表して符号が付されている。
【００３２】
また、以下の説明では、各図に示すＸ―Ｙ―Ｚ方向が互いに直交する方向であり、具体的には、Ｚ方向が垂直方向又は鉛直方向であって、Ｘ方向及びＹ方向が垂直方向に対して直交する水平方向であるものとして、例えば、Ｚ方向を高さ方向と称し、＋Ｚ方向を上側（平面）と称し、−Ｚ方向を下側（底面）と称して説明する。
【００３３】
（構成−フーチング部材）
図１及び図２のフーチング部材１は、前述したように、基礎構造に付与される荷重を分散させるための部材である。このフーチング部材１の具体的な種類や構成は任意であるが、例えば、建築物が建築される地盤に埋めて用いられるプレキャスト製（プレキャストコンクリート製）のものであり、また、全体としては外形が矩形柱形状のものであり、また、側面（＋Ｘ方向の面、−Ｘ方向の面、＋Ｙ方向の面、−Ｙ方向の面）に鉄筋が設けられていないものである。また、フーチング部材１は、例えば、フーチング側鉄筋１１、及びフーチング側貫通孔１２を備える。
【００３４】
（構成−フーチング部材−フーチング側鉄筋）
フーチング側鉄筋１１は、フーチング部材１に設けられている鉄筋である。このフーチング側鉄筋１１の具体的な種類や構成は任意であるが、図１及び図２に示すように、上面（Ｚ方向の面）における外周寄りの位置から複数本突出しているものである。また、このフーチング側鉄筋１１におけるフーチング部材１の内部での形状は任意であり、例えば、一部のフーチング側鉄筋１１についてはＸ方向又はＹ方向に向かって一部が曲げられていることとする。また、フーチング部材１の内部には、フーチング側貫通孔１２を取り囲んで設けられている不図示の鉄筋も配筋されていることとする。
【００３５】
（構成−フーチング部材−フーチング側貫通孔）
フーチング側貫通孔１２は、前述の貫通孔である。このフーチング側鉄筋１１の具体的な種類や構成は任意であるが、例えば、高さ方向（Ｚ軸方向）において貫通している孔であり、また、フーチング部材１の中央寄りの位置に１個のみ設けられている孔であり、また、後述する杭体２２の外形に対応する形状（ここでは相似形状）であって円形の孔であり、また、当該杭体２２よりも大径の孔である。
【００３６】
（基礎構造の施工手法）
次に、このようにして構成されたフーチング部材１を用いて行われる基礎構造の施工手法について説明する。図３〜図１０は、基礎構造の施工手法を説明するための図である。なお、図３〜図１０においては、図１０に示す基礎構造２００を施工するための各工程（ステップ）を説明するための図であり、基礎構造２００の各要素を正面側から見た図であり、特に、地中等の隠れて実際には見えない部分についても、説明の便宜上、見えるものとして実線にて図示されている。また、この図３〜図１０においては、従来と同様にして構成することが可能な一部の構成（例えば、公知の鉄筋等）は、説明の便宜上図示が省略されており、また、フーチング部材１の外形は簡略化して図示されている。また、従来と同様な工法にて施工可能な部分については、概要のみ説明する。
【００３７】
まず、図３に示すように、杭体２２を地盤２１に施工する。具体的な工程は任意であるが、例えば、杭孔２３を鉛直方向（Ｚ軸方向）に沿って掘削し、掘削した杭孔２３に杭体２２を挿入してセメント等を杭孔２３における杭体２２と地盤２１との間の隙間（不図示）に注入することにより杭体２２を施工した上で、当該杭体２２の杭頭（＋Ｚ方向の端部）の処理を行い、杭体２２の杭頭を地盤２１と同じ高さにして杭体２２を施工する。
【００３８】
次に、図４に示すように、杭体２２の周辺を施工する。具体的な工程は任意であるが、例えば、図３の杭体２２の周辺の地盤２１を掘削することにより図４の掘削された部分である掘削部２４を形成し、杭体２２の上側（＋Ｚ側）の端部を露出させることにより、当該端部を掘削部２４の底である底部２５から突出させる。次に、不図示の砕石を敷き込んで締固めした上で、締め固められた部分に図４に示すように捨てコンクリート３１を打設し、打設した捨てコンクリート３１に対して各要素（例えば、鉄筋やフーチング部材１の設置位置等）の基準位置を杭体２２の位置及び建築物の構造図等に基づいて墨出しする。
【００３９】
次に、図５に示すように、杭体２２に杭側鉄筋４１を施工する。「杭側鉄筋」４１とは、前述の接合体であり、具体的には、杭体２２に施工される杭頭補強筋である。具体的な工程は任意であるが、例えば、杭側鉄筋４１に鉄筋が配筋されていることとし、この鉄筋に対して溶接することにより、杭体２２の杭頭に杭側鉄筋４１を固定して施工する。
【００４０】
次に、図６に示すように、杭体２２にフーチング部材１を位置決めする。具体的な工程は任意であるが、例えば、重機等を用いてフーチング部材１を杭体２２の上側（＋Ｚ方向）に吊り上げた後、フーチング側貫通孔１２に杭側鉄筋４１及び杭体２２が連続的に挿通されるように、当該フーチング部材１を降下させて捨てコンクリート３１上に載置する。この場合、図６に示すように、フーチング側貫通孔１２に対して杭体２２が挿通された状態となる。次に、フーチング側貫通孔１２に対して杭体２２が挿通された状態で、フーチング側貫通孔１２の内部に設けられているフーチング部材１と杭体２２との間の間隙１２０を利用して、重機等を用いてフーチング部材１と杭体２２との相対位置を調整することにより、前述の墨出しした基準に対応する位置にフーチング部材１を載置して位置決めする。なお、このように、フーチング部材１と杭体２２との相対位置を調整することができるので、杭体２２の位置が想定から多少ずれていたとしてもフーチング部材１を想定通りに設置することが可能となる。
【００４１】
次に、図７に示すように、少なくとも図６の掘削部２４を埋め戻すことにおり、フーチング部材１を埋める。具体的な工程は任意であるが、例えば、フーチング部材１を境にして、図３の地盤２１の高さ（図３の図面右側の地盤２１の高さが図面左側の地盤２１の高さよりも高くなっている高さ）に対応する位置まで埋め戻すことにより、図７の埋戻し部２６を形成する。なお、この場合、埋め戻した土等が受け止められるように、鋼製型枠６１を、フーチング部材１の周囲における当該フーチング部材１の上面より上側（＋Ｚ方向）に土等がもられる側（＋Ｘ方向）に設けた上で、埋め戻される。次に、止め枠５１を、フーチング部材１の周囲における当該フーチング部材１の上面と同じ高さまで土等がもられる側（−Ｘ方向）に設けた上で、捨てコンクリート３２を打設する。そして、この捨てコンクリート３２は、当該止め枠５１及び前述の鋼製型枠６１の上側（＋Ｚ方向）の端部にて受け止められて硬化することになる。
【００４２】
次に、図８に示すように、第１鉄筋群４２、第２鉄筋群４３、及び柱側鉄筋４４を配筋する。「第１鉄筋群」４２とは、基礎梁を形成するための鉄筋であり、具体的には、ベース下端主筋、基礎梁下端主筋、及びあばら筋等を含む概念である。「第２鉄筋群」４３とは、基礎梁を形成するための鉄筋であり、具体的には、ベースはかま筋、基礎梁下端主筋、あばら筋等を含む概念である。「柱側鉄筋」４４とは、杭体２２の杭頭に接合される接合体としての不図示の柱を形成するための鉄筋であり、具体的には、柱主筋である。具体的な工程は任意であるが、例えば、従来と同様にして配筋する。
【００４３】
次に、図９に示すように、コンクリートを打設する。具体的な工程は任意であるが、例えば、浮き型枠６２を設けた上で、第１打設面７１がコンクリートの上面となるようにコンクリートを打設する。この場合、当該コンクリートをフーチング部材１と杭体２２との間の間隙１２０に充填剤として充填して打設することにより、杭体２２とフーチング部材１とを相互に強固に固定することが可能となる。なお、ここでは、例えば、図９の基礎構造２００に建築される不図示の建築物の構造等に応じて、任意の要素（例えば、補強筋、耐圧盤等）を配置してもよいが、この任意の要素の配置は従来と同様であるので、説明を省略する。
【００４４】
次に、図１０に示すように、第３鉄筋群４５を配筋した上で、コンクリートを打設する。「第３鉄筋群」４４とは、基礎梁を形成するための鉄筋であり、具体的には、基礎梁上端筋、あばら筋、ベースふかし筋等を含む概念である。具体的な工程は任意であるが、例えば、従来と同様にして配筋し、また、基礎梁型枠６３を設けた上で、第２打設面７２がコンクリートの上面となるようにコンクリートを打設する。これにて、基礎構造２００の施工を終了する。
【００４５】
（本実施の形態の効果）
本実施の形態によれば、地盤２１に埋めて用いられるプレキャスト製のフーチング部材１が、杭体２２と当該フーチング部材１との相対位置を調整するためのフーチング側貫通孔１２を備えることにより、例えば、杭体２２に加えてフーチング部材１も建築物を建設する基準として用いることができ、また、例えば、フーチング部材１の杭体２２に対する位置を調整することができるので、建築物を建設する基準の位置に冗長性を持たせることができ、杭体２２を打ち込む精度を緩和して、施工の手間を軽減することが可能となる。また、フーチング部材１がプレキャスト製となっていることにより、例えば、現場でフーチング部材１を生成することが不要となるので、工期を短縮することが可能となる。また、例えば、フーチング部材１が地盤２１に埋められているので、建築物を強固に支持することが可能となる。
【００４６】
また、フーチング側貫通孔１２の内部におけるフーチング部材１と杭体２２との間の間隙１２０には、充填剤であるコンクリートが充填されることにより、例えば、フーチング部材１と杭体２２との間の間隙１２０を埋めることができるので、フーチング部材１と杭体２２とを相互に強固に固定することが可能となる。
【００４７】
また、フーチング側貫通孔１２が、フーチング部材１における中央寄りの位置に１個設けられていることにより、例えば、フーチング側貫通孔１２に対して杭体２２を容易に挿通するこができ、また、杭体２２が挿通された状態でフーチング部材１を回動させることができるので、施工性を向上させることが可能となる。
【００４８】
また、フーチング部材１における上面の全領域がコンクリートの打設領域となっていることにより、例えば、フーチング部材１における上面の全領域にコンクリートを打設することができるので、建築物を強固に支持することが可能となる。
【００４９】
また、杭体２２の杭頭には接合体である杭側鉄筋４１等が接合されることにより、例えば、杭体２２と一体的に設けられた接合体を用いて建築物を支持することができるので、建築物を強固に支持することが可能となる。
【００５０】
また、フーチング部材１の側面からは鉄筋が突出していないことにより、例えば、フーチング部材１同士を限られた領域に隣り合わせて置くことができるので、フーチング部材１の保管（仮置き）スペースの省スペース化を図ることが可能となる。
【００５１】
〔ＩＩＩ〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００５２】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。
【００５３】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。
【００５４】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００５５】
（フーチング部材について）
また、上記実施の形態の図１及び図２のフーチング部材１の構成を任意に変更してもよい。具体的には、フーチング部材１の外形を円柱形状、三角柱形状、又は五角柱形状等としてもよいし、フーチング側貫通孔１２の形状を、杭体２２の外形に関わらず、楕円形状、三角形状、及び矩形状等してもよい。
【００５６】
（充填剤の充填について）
また、上記実施の形態では、図９でコンクリートを打設する場合に、コンクリートをフーチング部材１と杭体２２との間の間隙１２０に充填剤として充填して打設するものとして説明したが、これに限らない。例えば、図６において、杭体２２にフーチング部材１を位置決めした直後に、コンクリートをフーチング部材１と杭体２２との間の間隙１２０に充填剤として充填して打設してもよい。
【００５７】
（付記）
付記１の基礎構造は、建築物を支持する基礎構造であって、前記建築物が建築される地盤に埋めて用いられるプレキャスト製のフーチング部材、を備え、前記フーチング部材は、前記建築物を支持する杭体が挿通される貫通孔であって、当該杭体と当該フーチング部材との相対位置を調整するための前記貫通孔、を備える。
【００５８】
付記２の基礎構造は、付記１に記載の基礎構造において、前記貫通孔の内部における前記フーチング部材と前記杭体との間の間隙には、充填剤が充填される。
【００５９】
付記３の基礎構造は、付記１又は２に記載の基礎構造において、前記貫通孔は、前記フーチング部材における中央寄りの位置に１個設けられている。
【００６０】
付記４の基礎構造は、付記１から３の何れか一項に記載の基礎構造において、前記フーチング部材における上面の全領域はコンクリートの打設領域となっている。
【００６１】
付記５の基礎構造は、付記１から４の何れか一項に記載の基礎構造において、前記杭体の杭頭には接合体が接合される。
【００６２】
付記６の基礎構造は、付記１から５の何れか一項に記載の基礎構造において、前記フーチング部材の側面からは鉄筋が突出していない。
【００６３】
付記７のフーチング部材は、建築物が建築される地盤に埋めて用いられるプレキャスト製のフーチング部材であって、前記フーチング部材は、前記建築物を支持する杭体が挿通される貫通孔であって、当該杭体と当該フーチング部材との相対位置を調整するための前記貫通孔、を備える。
【００６４】
付記８の基礎構造の施工方法は、建築物を支持する基礎構造の施工方法であって、前記建築物が建築される地盤に設けられている杭体にプレキャスト製のフーチング部材であって、貫通孔を備える前記フーチング部材を位置決めする工程と、前記フーチング部材を埋める工程と、を含んでおり、前記フーチング部材を位置決めする工程は、前記貫通孔に前記杭体を挿通した状態で前記杭体と前記フーチング部材との相対位置を調整する工程、を含む。
【００６５】
（付記の効果）
付記１に記載の基礎構造、付記７に記載のフーチング部材、及び付記８に記載の基礎構造の施工方法によれば、地盤に埋めて用いられるプレキャスト製のフーチング部材が、杭体と当該フーチング部材との相対位置を調整するための貫通孔を備えることにより、例えば、杭体に加えてフーチング部材も建築物を建設する基準として用いることができ、また、例えば、フーチング部材の杭体に対する位置を調整することができるので、建築物を建設する基準の位置に冗長性を持たせることができ、杭体を打ち込む精度を緩和して、施工の手間を軽減することが可能となる。また、フーチング部材がプレキャスト製となっていることにより、例えば、現場でフーチング部材を生成することが不要となるので、工期を短縮することが可能となる。また、例えば、フーチング部材が地盤に埋められているので、建築物を強固に支持することが可能となる。
【００６６】
付記２に記載の基礎構造によれば、貫通孔の内部におけるフーチング部材と杭体との間の間隙には、充填剤が充填されることにより、例えば、フーチング部材と杭体との間の間隙を埋めることができるので、フーチング部材と杭体とを相互に強固に固定することが可能となる。
【００６７】
付記３に記載の基礎構造によれば、貫通孔が、フーチング部材における中央寄りの位置に１個設けられていることにより、例えば、貫通孔に対して杭体を容易に挿通するこができ、また、杭体が挿通された状態でフーチング部材を回動させることができるので、施工性を向上させることが可能となる。
【００６８】
付記４に記載の基礎構造によれば、フーチング部材における上面の全領域がコンクリートの打設領域となっていることにより、例えば、フーチング部材における上面の全領域にコンクリートを打設することができるので、建築物を強固に支持することが可能となる。
【００６９】
付記５に記載の基礎構造によれば、杭体の杭頭には接合体が接合されることにより、例えば、杭体と一体的に設けられた接合体を用いて建築物を支持することができるので、建築物を強固に支持することが可能となる。
【００７０】
付記６に記載の基礎構造によれば、フーチング部材の側面からは鉄筋が突出していないことにより、例えば、フーチング部材同士を限られた領域に隣り合わせて置くことができるので、フーチング部材の保管（仮置き）スペースの省スペース化を図ることが可能となる。
【符号の説明】
【００７１】
１  フーチング部材
１１  フーチング側鉄筋
１２  フーチング側貫通孔
２１  地盤
２２  杭体
２３  杭孔
２４  掘削部
２５  底部
２６  埋戻し部
３１  捨てコンクリート
３２  捨てコンクリート
４１  杭側鉄筋
４２  第１鉄筋群
４３  第２鉄筋群
４４  柱側鉄筋
４５  第３鉄筋群
５１  止め枠
６１  鋼製型枠
６２  浮き型枠
６３  基礎梁型枠
７１  第１打設面
７２  第２打設面
１２０  間隙
２００  基礎構造
【図１】
2020084529.tif 000003
【図２】
2020084529.tif 000004
【図３】
2020084529.tif 000005
【図４】
2020084529.tif 000006
【図５】
2020084529.tif 000007
【図６】
2020084529.tif 000008
【図７】
2020084529.tif 000009
【図８】
2020084529.tif 000010
【図９】
2020084529.tif 000011
【図１０】
2020084529.tif 000012